(57)【要約】【課題】最冷点温度の上昇を抑制し、無電極放電ランプの発光効率の低下を防ぐこと。【解決手段】本実施形態の照明器具は、無電極放電ランプ１を支持する器具本体２と、無電極放電ランプ１のバルブ５から放射される光を反射する反射部３とを備えている。バルブ５は、透光性材料によって中空気密に形成され、希ガス及び水銀が封入されている。バルブ５の外周面には、最冷点部として突起部６が設けられている。反射部３は、反射鏡１５、１６、１７からなり、突起部６と対向する反射鏡１５には、突起部６が挿通される貫通孔４が設けられている。反射部３を介して、突起部６が位置する空間と、バルブ５が収納される空間とを分離することができるので、突起部６は、バルブ５の光放射及び発熱から隔離され、最冷点温度の上昇が抑制される。因って、バルブ５内の水銀蒸気圧の上昇による発光効率低下を防ぐことができる。【選択図】図１
2009301899.tif 000002
【特許請求の範囲】
【請求項１】
透光性材料によって中空気密に形成され希ガス及び水銀が封入されたバルブを有し、前
記バルブの外周面に突起部が突出されてなる無電極放電ランプを収納する照明器具におい
て、前記無電極放電ランプを支持する器具本体と、１枚乃至複数枚の反射鏡からなり前記
バルブから放射される光を反射する反射部とを備え、前記反射部は、前記突起部と対向す
る箇所に、前記突起部が挿通される貫通孔を設けていることを特徴とする照明器具。
【請求項２】
前記突起部と対向する前記反射鏡は、前記貫通孔付近から所望の光照射方向側の一端部
までが、前記バルブから遠ざかる方向へ曲折されてなることを特徴とする請求項１記載の
照明器具。
【請求項３】
前記突起部と対向する前記反射鏡は、所望の光照射方向に対して拡開してなり、且つ前
記貫通孔は、前記光放射方向に長径を有する楕円形状に形成されていることを特徴とする
請求項１または２記載の照明器具。
【請求項４】
前記貫通孔の周縁には、両端が開口した筒形状に形成され、且つ前記突起部側へ突出し
た筒部が設けられ、前記突出部は、前記筒部に挿入されることを特徴とする請求項１〜３
の何れか１項に記載の照明器具。
【発明の詳細な説明】
【技術分野】
【０００１】
本発明は、無電極放電ランプを用いた照明器具に関するものである。
【背景技術】
【０００２】
従来より、ガラス管内に一対の電極を配した放電ランプに対して、内部に電極を持たな
い無電極放電ランプと呼ばれるものがある。一般に、無電極放電ランプは、透光性材料に
よって中空気密に形成され、内部に水銀及び希ガスが封入されたバルブからなる。前記バ
ルブに誘導コイルを近接して配置させて、前記誘導コイルに高周波電流を流すと、誘導電
磁界により前記バルブ内部で放電が発生する。この放電の発生により電子が前記バルブ内
部に封入された水銀原子と衝突する。そして、水銀原子は励起状態になり、紫外線を放出
させて基底状態に戻る。この紫外線が前記バルブ内面に塗布されている蛍光体によって可
視光に変換される。
【０００３】
この種の放電ランプは、電極切れやエミッタ消耗による不点灯がなく、電極を有する放
電ランプに比べて非常に長寿命である。そのため、無電極放電ランプを用いた照明器具は
メンテナンスを容易に行えない場所や、信頼性の求められる場所に設置される。
【０００４】
ところで、無電極放電ランプは、電極を有する放電ランプと比べて発熱量が多く、バル
ブ内の温度の上昇に伴って水銀蒸気圧も上昇し、発光効率が低下するという問題がある。
これに対して、バルブの外周面に突起部を設け、その突起部を最冷点部（バルブ表面で最
も温度が低くなる部位）とした種々の無電極放電ランプが提供されている（例えば、特許
文献１参照）。
【０００５】
また、無電極放電ランプを用いた照明器具も同様に、照明器具内の温度上昇を抑制する
必要がある。このため、照明器具を防塵・防滴用の密閉構造にすることができない問題が
ある。これに対して無電極放電ランプの支持部材に放熱部材を設け、反射板には放熱部材
を通す開口部を設けた照明器具が提供されている（特許文献２参照）。
【特許文献１】特開２００７−３１７５７１号公報
【特許文献２】特開２００５−９３２６６号公報
【発明の開示】
【発明が解決しようとする課題】
【０００６】
しかしながら、突起部を最冷点部とした従来の無電極放電ランプは、実際に照明器具内
に収納して点灯を行うと、バルブからの発熱等によって照明器具内に熱がこもり、最冷点
温度も上昇してしまう。その結果、バルブ内の水銀蒸気圧が上昇し、発光効率が低下して
しまうという問題がある。また、放熱部材を備えた従来の照明器具は、主にバルブと同じ
空間に放熱が行われており、温度上昇の抑制としては不充分である。
【０００７】
本発明は上記事由に鑑みて為されたものであり、その目的は、最冷点温度の上昇を抑制
し、無電極放電ランプの発光効率の低下を防ぐことができる照明器具を提供することにあ
る。
【課題を解決するための手段】
【０００８】
請求項１の発明は、上記目的を達成するために、透光性材料によって中空気密に形成さ
れ希ガス及び水銀が封入されたバルブを有し、前記バルブの外周面に突起部が突出されて
なる無電極放電ランプを収納する照明器具において、前記無電極放電ランプを支持する器
具本体と、１枚乃至複数枚の反射鏡からなり前記バルブから放射される光を反射する反射
部とを備え、前記反射部は、前記突起部と対向する箇所に、前記突起部が挿通される貫通
孔を設けていることを特徴とする。
【０００９】
この発明によれば、前記反射部は、前記突起部と対向する箇所に、前記突起部が挿通さ
れる貫通孔を設けているので、前記反射部を介して、前記突起部が位置する空間と、前記
バルブが収納される空間とを分離することができる。つまり、前記突起部は、前記バルブ
の光放射及び発熱から隔離される。因って、最冷点温度の上昇を抑制し、前記バルブ内の
水銀蒸気圧の上昇による発光効率低下を防ぐことができる。
【００１０】
請求項２の発明は、請求項１の発明において、前記突起部と対向する前記反射鏡は、前
記貫通孔付近から所望の光照射方向側の一端部までが、前記バルブから遠ざかる方向へ曲
折されてなることを特徴とする。
【００１１】
この発明によれば、前記突起部と対向する前記反射鏡は、前記貫通孔付近から所望の光
照射方向側の一端部までが、前記バルブから遠ざかる方向へ曲折されてなるので、前記突
起部を前記貫通孔に挿通しつつ、前記バルブから放射される光を効率よく所望の照射方向
に反射することができる。
【００１２】
請求項３の発明は、請求項１または２の発明において、前記突起部と対向する前記反射
鏡は、所望の光照射方向に対して拡開してなり、且つ前記貫通孔は、前記光放射方向に長
径を有する楕円形状に形成されていることを特徴とする。
【００１３】
この発明によれば、前記無電極放電ランプを前記反射部に取り付ける際、容易に前記突
起部を前記貫通孔に挿通することができる。
【００１４】
請求項４の発明は、請求項１〜３の何れか１項の発明において、前記貫通孔の周縁には
両端が開口した筒形状に形成され、且つ前記突起部側へ突出した筒部が設けられ、前記突
出部は、前記筒部に挿入されることを特徴とする。
【００１５】
この発明によれば、前記突起部と対向する前記反射鏡は、前記筒部の軸方向の長さの分
だけ、前記バルブから距離を保つことができる。因って、前記バルブから放射される光を
効率よく所望の照射方向に反射することができる。
【発明の効果】
【００１６】
本発明では、最冷点温度の上昇を抑制し、無電極放電ランプの発光効率の低下を防ぐこ
とができるという効果がある。
【発明を実施するための最良の形態】
【００１７】
（実施形態１）
以下、本発明の実施形態１について、図１〜図３を参照して説明する。尚、以下の説明
では、図２において前後左右上下方向を規定している。
【００１８】
本実施形態１の照明器具は、図１に示すように、無電極放電ランプ１を支持する器具本
体２と、反射部３とを備えている。
【００１９】
本実施形態１で使用する無電極放電ランプ１のバルブ５は、ガラス等の透光性材料によ
って中空気密に形成され、全体として電球型をしており、外殻部７と、凹部（図示せず）
とから構成される。外殻部７は、主となる発光部位で、略球形状の部分と略円筒形状の部
分とが連通して形成されている。前記凹部は、外殻部７の前記略円筒形状の部分の一端が
開口し、外殻部７内に窪んだ円筒形状に形成されている。前記略円筒形状の部分の外周面
には、係止溝（図示せず）が形成されている。そして、バルブ５内部には、水銀及び希ガ
ス（アルゴンやクリプトン等）が封入されている。また、バルブ５の内面には、アルミナ
等の金属酸化物からなる保護膜（図示せず）が形成され、更に前記保護膜の上には蛍光体
（図示せず）が塗布されている。そして、バルブ５の軸方向（図１の左右方向）に対する
外周面の頂部分には、外側へ略円錐形状に突出してなる突起部６が設けられており、その
目的は上述の従来技術と共通で、突起部６を最冷点部とすることである。
【００２０】
本実施形態１の器具本体２は、筐体８、カバー９、ガラスパネル１０、カプラ１１、口
金１２及び支持板１３から構成されている。
【００２１】
筐体８は、図１及び図２に示すように、ステンレス板を互いに複数のビス８ａで固定す
ることによって、下面が開口する矩形の箱型状に形成されている。また、筐体８の上端部
を、建物の天井等の造営面に取付ける固定部８ｂとし、該固定部８ｂには、前後方向に突
出してなりビス止め用の孔を備えた４個の取付金具８ｃ（図２では２個のみ示す）が設け
られている。そして、固定部８ｂの下面には、筐体８の左端部より右側へ少なくとも突起
部６の長さ以上空けて、反射部３が固定されている。
【００２２】
カバー９は、筐体８と同様のステンレス板によって矩形板状に形成されており、上述の
筐体８の開口する下面にビス８ａによって取付けられている。また、カバー９は、左右方
向の略中心部から左端部に亘って矩形状に開口しており、該開口の周縁部９ａの内側には
段状に形成された係止部９ｂが設けられている。
【００２３】
ガラスパネル１０は、透明強化ガラスによって、前述の矩形状の周縁部９ａの大きさに
略等しく形成されている。そして、ガラスパネル１０は、該ガラスパネル１０の周縁を係
止部９ｂに嵌合することで、カバー９に取付けられる。
【００２４】
カプラ１１は、外鍔部１４と、放熱パイプ（図示せず）と、フェライトコア（図示せず
）と、誘導コイル（図示せず）とから構成されている。外鍔部１４は、アルミ材から円板
形状に形成されている。前記放熱パイプは、両端が開口する細長円筒形状に形成された熱
伝導率の高い銅パイプである。前記フェライトコアは、ＭｎＺｎフェライト材から両端が
開口する円筒形状に形成されている。前記放熱パイプの軸方向に対して略半分の一方側に
は、前記フェライトコアが外挿されている。前記放熱パイプの他方側の端部は、外鍔部１
４の水平方向の中心部に結合されている。前記誘導コイルは、前記フェライトコアの外周
面に巻回されている。そして、前記誘導コイル及び前記フェライトコアを含む前記放熱パ
イプは、バルブ５の前記凹部の開口より挿入されている。
【００２５】
口金１２は、樹脂材等から両端が開口する略円筒形状に形成され、内周面には、内側に
突出する複数の係止片（図示せず）が設けられている。口金１２の軸方向の一端側は、カ
プラ１１の外鍔部１４に結合され、他端側には、外殻部７の前記略円筒形状の部分が挿入
されている。そして、口金１２の複数の前記係止片を、外殻部７の前記係止溝に係合させ
ることで無電極放電ランプ１が口金１２に固定されている。
【００２６】
支持板１３は、矩形板状に形成されており、筐体８の左右方向の略中心部より右側で上
下方向の両端部を、固定部８ｂ及びカバー９の内面に当接させて固定されている。支持板
１３の左面略中心部には、カプラ１１の外鍔部１４が固定されており、これにより、無電
極放電ランプ１が、器具本体２に支持されている。
【００２７】
本実施形態１の反射部３は、それぞれアルミ板によって形成される反射鏡１５、１６、
１７から構成されており、全体として下方が開口した略半円筒形状に形成されている。反
射鏡１５は、反射部３の左側に位置し、略半円形状に形成されている。反射鏡１５には、
略中心部に貫通してなる円形状の貫通孔４が設けられており、該貫通孔４に無電極放電ラ
ンプ１の突起部６が挿通されている。反射鏡１６は、反射部３の右側に位置し、反射鏡１
５と同じ半円形状に形成されている。また、反射鏡１６には、下方から口金１２を挿通す
る口金挿通孔１６ａが設けられている。この口金挿通孔１６ａは、反射鏡１６の下端部中
央から上下方向の中心部まで、口金１２の外径と等しくした幅で切り欠いて、更にその端
部を円弧状に切り欠いてなる。反射鏡１７は、左右方向の両端部周縁を反射鏡１５及び１
６の円弧部分の周縁と等しくした曲面形状に形成されている。そして、反射部３は、前述
の様に、筐体８の固定部８ｂの下面に、反射鏡１７の頂部分を取り付けることで、器具本
体２に取付けられている。
【００２８】
尚、上述の他に器具本体２内には、前記誘導コイルを介して無電極放電ランプ１に高周
波電力を供給する点灯回路１８が収納されている。点灯回路１８は筐体８内の支持板１３
より右側の固定部８ｂに設置されており、電線１９を介してカプラ１１の前記誘導コイル
に接続されている。
【００２９】
以下、上述の本実施形態１の照明器具の作用について説明する。尚、無電極放電ランプ
１の発光原理については、先述の従来技術と共通のため説明を省略する。
【００３０】
本実施形態１の照明器具に無電極放電ランプ１を取付けると、図１に示すように、反射
部３の貫通孔４に突起部６が挿通されており、バルブ５が収納される空間と、突起部６が
位置する空間とを、反射部３を介して分離することができる。この状態で、点灯回路１８
からカプラ１１の前記誘導コイルに高周波電力を供給すると、前記誘導コイル周囲に誘導
電磁界が発生し、次第にバルブ５を収納する反射部３の内部温度は、バルブ５からの光放
射及び発熱により上昇する。しかし、最冷点部である突起部６は、反射鏡１５によってバ
ルブ５が収納される空間から隔離されているので、バルブ５からの光放射及び発熱による
最冷点温度の上昇は抑制される。因って、バルブ５内の水銀蒸気圧の上昇による発光効率
低下を防ぐことができる。
【００３１】
実際に本実施形態１の照明器具と、従来の照明器具（図３参照）とを使って、周囲の温
度３０℃の突起部６の先端の温度測定を行った。尚、従来の照明器具は、反射部３の反射
鏡１７の左右方向寸法及び貫通孔４の有無以外、全て本実施形態と共通の材料及び構成に
よるものである。そして、結果は、従来の照明器具内の突起部６の温度が９９．２℃まで
上昇したのに対して、本実施形態１の照明器具内の突起部６の温度は７５．０℃となり、
約２４℃の低減効果があった。
【００３２】
尚、上述の他に、反射鏡１５と対向する筐体８左端部の何れかに貫通する換気口（図示
せず）を設ければ、突起部６が位置する空間の熱を外部へ放熱することが可能となり、更
に最冷点温度の上昇は抑制される。
【００３３】
以上説明した本実施形態１の照明器具は、無電極放電ランプ１を支持する器具本体２と
反射鏡１５、１６、１７からなりバルブ５から放射される光を反射する反射部３とを備え
ている。そして、突起部６と対向する反射鏡１５には、突起部６が挿通される貫通孔４を
設けているので、反射部３を介して突起部６が位置する空間と、バルブ５が収納される空
間とを分離することができる。因って、突起部６は、バルブ５の光放射及び発熱から隔離
され、最冷点温度の上昇が抑制されるので、バルブ５内の水銀蒸気圧の上昇による発光効
率低下を防ぐことができる。
【００３４】
（実施形態２）
本実施形態２は、基本的な構成が実施形態１と共通であるので、共通の構成要素には、
同一の符号を付して説明を省略する。
【００３５】
実施形態１の反射部３の反射鏡１５は、左右方向に対して垂直方向に形成されている（
図１参照）。そして、貫通孔４に無電極放電ランプ１の突起部６を挿通する必要があるた
め、反射鏡１５とバルブ５とを近接して配置しなければいけない。しかし、この場合、バ
ルブ５から反射鏡１５側へ放射された光は、所望の光照射方向（図１の下方向）へ反射さ
れ難く照射効率の低下になる。これに対して例えば、図４（ａ）に示すように、反射鏡１
５を下方向に拡開すれば、照射効率が向上できる（図４（ａ）矢印参照）。そして、図４
（ｂ）に示すように、更に反射鏡１５の傾斜角を小さくすれば、より一層照射効率が向上
できる（図４（ｂ）矢印参照）。その一方で、前記傾斜角を小さくするに伴って、貫通孔
４と突起部６との間隔は大きくなり、その結果、突起部６の突出寸法を大きくする必要が
ある。しかし、突起部６の突出寸法を従来からの無電極放電ランプより大きくすることは
突起部６並びにバルブ５の破損を引き起こす原因となる。
【００３６】
そこで本実施形態２は、図４（ｃ）に示すように、反射鏡１５を貫通孔４付近から下端
部にかけて、バルブ５から遠ざかる方向（図中の左方向）に曲折させている点に特徴があ
る。これにより、前記曲折部分の反射鏡１５は、バルブ５から放射される光を効率よく所
望の照射方向に反射することができる。また、突起部６の突出寸法を変える必要もない。
【００３７】
ところで、実施形態１の貫通孔４は、円形状に形成されている。しかし、上述の図４（
ａ）、（ｂ）及び（ｃ）で示したように反射鏡１５が下方向に対して拡開している場合、
貫通孔４を、図５に示すように、所望の光照射方向に長径を有する楕円形状に形成すれば
よい。これは、無電極放電ランプ１、カプラ１１及び口金１２を支持板１３に取付後、無
電極放電ランプ１をカバー９側から反射部３の固定されている筐体８に挿入する場合、突
起部６を貫通孔４に挿通し易くなるからである。
【００３８】
（実施形態３）
本実施形態３は、基本的な構成が実施形態１と共通であるので、共通の構成要素には、
同一の符号を付して説明を省略する。
【００３９】
本実施形態３の貫通孔４の周縁には、図６に示すように、両端が開口する筒形状に形成
され、且つ突起部６側に突出した筒部２０が設けられ、該筒部２０に突起部６が挿入され
ている点に特徴がある。筒部２０を設けることにより、突起部６をバルブ５が収納される
空間から隔離しつつ、反射鏡１５は、バルブ５から筒部２０の軸方向の長さの分だけ距離
を保って配置することが可能となる。因って、反射鏡１５は、バルブ５から放射される光
を効率よく所望の照射方向に反射することができる。また、実施形態２と同様に、突起部
６の突出寸法を変える必要もない。
【図面の簡単な説明】
【００４０】
【図１】本発明の実施形態１の断面図である。
【図２】同上における斜視図である。
【図３】従来の照明器具の断面図である。
【図４】（ａ）及び（ｂ）は本発明の実施形態１の反射鏡を下方へ拡開させた断面図で、（ｃ）は本発明の実施形態２の断面図である。
【図５】本発明の実施形態２の左側面断面図である。
【図６】本発明の実施形態３の断面図である。
【符号の説明】
【００４１】
１  無電極放電ランプ
２  器具本体
３  反射部
４  貫通孔
５  バルブ
６  突起部
１５  反射鏡
１６  反射鏡
１７  反射鏡
【図１】
2009301899.tif 000003
【図２】
2009301899.tif 000004
【図３】
2009301899.tif 000005
【図４】
2009301899.tif 000006
【図５】
2009301899.tif 000007
【図６】
2009301899.tif 000008